(57)【要約】【課題】止水性を向上できる段窓を提供すること。【解決手段】段窓１は、上窓２、下窓３および無目５を備える。上窓２および下窓３は、上枠１１、下枠１２および左右の縦枠１３，１４を有した窓枠１０と、窓枠１０に保持された面材１５とをそれぞれ備える。縦枠１３，１４には、上枠１１および下枠１２の端部に当接するシール材１６，１７が設けられる。無目５には、窓枠１０との間を止水する圧縮可能な水密材６Ａ，６Ｂが設けられる。水密材６Ａ，６Ｂは、無目５の両端側に配置された一対の端止水部８Ａ，８Ｂと、一対の端止水部８Ａ，８Ｂの間に配置された中間止水部７Ａ，７Ｂとを有する。一対の端止水部８Ａ，８Ｂは、中間止水部７Ａ，７Ｂよりも高い反発弾性を有した材料によって構成されている。【選択図】図５
2020007722.tif 000002
【特許請求の範囲】
【請求項１】
上下の窓と、前記上下の窓を連結した無目とを備えており、
前記上下の窓は、上下の横枠および左右の縦枠を有した枠体と、前記枠体に保持された面材とをそれぞれ備えており、
前記左右の縦枠には、前記上下の横枠の端部に当接するシール材が設けられており、
前記無目には、前記枠体との間を止水する圧縮可能な水密材が設けられており、
前記水密材は、前記無目の両端側に配置された一対の端止水部と、前記無目の長手方向に延びて前記一対の端止水部の間に配置された中間止水部とを有しており、
前記一対の端止水部は、前記左右の縦枠の上下方向における両端面のうち前記無目側に位置する端面および前記シール材と、前記上下の横枠のうち前記無目側に位置する横枠の見込み面における両端側とに圧接しており、
前記中間止水部は、前記一対の端止水部の間において前記横枠の見込み面に圧接しており、
前記一対の端止水部は、前記中間止水部よりも高い反発弾性を有した材料によって構成されている
ことを特徴とする段窓。
【請求項２】
上下の窓と、前記上下の窓を連結した無目とを備えており、
前記上下の窓は、上下の横枠および左右の縦枠を有した枠体と、前記枠体に保持された面材とをそれぞれ備えており、
前記左右の縦枠には、前記上下の横枠の端部に当接するシール材が設けられており、
前記無目には、前記枠体との間を止水する圧縮可能な水密材が設けられており、
前記水密材は、前記無目の両端側に配置された一対の端止水部と、前記無目の長手方向に延びて前記一対の端止水部の間に配置された中間止水部とを有しており、
前記一対の端止水部は、前記左右の縦枠の上下方向における両端面のうち前記無目側に位置する端面および前記シール材と、前記上下の横枠のうち前記無目側に位置する横枠の見込み面における両端側とに圧接しており、
前記中間止水部は、前記一対の端止水部の間において前記横枠の見込み面に圧接しており、
前記水密材は、前記無目の長手方向に延びた圧縮可能な水密材本体と、前記水密材本体よりも硬い硬質体とによって形成されており、
前記中間止水部は、前記水密材本体によって構成されており、
前記一対の端止水部は、前記水密材本体の両端部と前記無目との間に前記硬質体が配置されて構成されている
ことを特徴とする段窓。
【請求項３】
上下の窓と、前記上下の窓を連結した無目とを備えており、
前記上下の窓は、上下の横枠および左右の縦枠を有した枠体と、前記枠体に保持された面材とをそれぞれ備えており、
前記左右の縦枠には、前記上下の横枠の端部に当接するシール材が設けられており、
前記無目には、前記枠体との間を止水する圧縮可能な水密材が設けられており、
前記水密材は、前記無目の両端側に配置された一対の端止水部と、前記無目の長手方向に延びて前記一対の端止水部の間に配置された中間止水部とを有しており、
前記一対の端止水部は、前記左右の縦枠の上下方向における両端面のうち前記無目側に位置する端面および前記シール材と、前記上下の横枠のうち前記無目側に位置する横枠の見込み面における両端側とに圧接しており、
前記中間止水部は、前記一対の端止水部の間において前記横枠の見込み面に圧接しており、
前記水密材は、その全体が圧縮可能な同一材料によって形成されており、
前記端止水部の上下方向における厚さ寸法は、前記中間止水部の上下方向における厚さ寸法よりも大きい
ことを特徴とする段窓。
【発明の詳細な説明】
【技術分野】
【０００１】
本発明は、上下の窓を連設した段窓に関する。
【背景技術】
【０００２】
従来、上下のＦＩＸ窓を無目によって連設して構成される段窓が知られており、各ＦＩＸ窓は上枠、下枠および左右の縦枠を枠組みした窓枠内に面材を固定して構成されている（非特許文献１の１，２ページ等参照）。この段窓では、乾式の水密材が無目の長手方向に沿って設けられており、この水密材を無目およびＦＩＸ窓の間で押し潰すことで、無目およびＦＩＸ窓の間を止水する構成とされている。
【先行技術文献】
【特許文献】
【０００３】
【非特許文献１】「組立説明書  エピソードＮＥＯ  段窓無目」、’１７−４月発行、１，２ページ、ＹＫＫＡＰ、［２０１８年６月１１日検索］、インターネット（http://manualweb.ykkap.co.jp/pdf_inter/100020/17522K101B00.pdf）
【発明の概要】
【発明が解決しようとする課題】
【０００４】
非特許文献１に記載の段窓では、縦枠には上下方向に沿った枠ヒレと、枠ヒレに沿ったシーラー（シール材）とが設けられており、ＦＩＸ窓を組み付ける際には、枠ヒレのうち不要となる端部を折り取り、この折り取った部分に対応してシーラーを切り取る作業を行っている。
ところで、前述したシーラーの切取り作業はハサミなどの工具を用いて手作業で行われるので、シーラーの切取り位置が所定位置からズレたり、また、シーラーの切り取りが忘れられてそのまま残ったりするおそれがある。このような場合には、シーラーが水密材に当接してピンホールなどの隙間が生じ、この隙間から漏水するおそれがある。
【０００５】
本発明の目的は、止水性を向上できる段窓を提供することにある。
【課題を解決するための手段】
【０００６】
本発明の第一態様の段窓は、上下の窓と、前記上下の窓を連結した無目とを備えており、前記上下の窓は、上下の横枠および左右の縦枠を有した枠体と、前記枠体に保持された面材とをそれぞれ備えており、前記左右の縦枠には、前記上下の横枠の端部に当接するシール材が設けられており、前記無目には、前記枠体との間を止水する圧縮可能な水密材が設けられており、前記水密材は、前記無目の両端側に配置された一対の端止水部と、前記無目の長手方向に延びて前記一対の端止水部の間に配置された中間止水部とを有しており、前記一対の端止水部は、前記左右の縦枠の上下方向における両端面のうち前記無目側に位置する端面および前記シール材と、前記上下の横枠のうち前記無目側に位置する横枠の見込み面における両端側とに圧接しており、前記中間止水部は、前記一対の端止水部の間において前記横枠の見込み面に圧接しており、前記一対の端止水部は、前記中間止水部よりも高い反発弾性を有した材料によって構成されていることを特徴とする。
【０００７】
本発明の第二態様の段窓は、上下の窓と、前記上下の窓を連結した無目とを備えており、前記上下の窓は、上下の横枠および左右の縦枠を有した枠体と、前記枠体に保持された面材とをそれぞれ備えており、前記左右の縦枠には、前記上下の横枠の端部に当接するシール材が設けられており、前記無目には、前記枠体との間を止水する圧縮可能な水密材が設けられており、前記水密材は、前記無目の両端側に配置された一対の端止水部と、前記無目の長手方向に延びて前記一対の端止水部の間に配置された中間止水部とを有しており、前記一対の端止水部は、前記左右の縦枠の上下方向における両端面のうち前記無目側に位置する端面および前記シール材と、前記上下の横枠のうち前記無目側に位置する横枠の見込み面における両端側とに圧接しており、前記中間止水部は、前記一対の端止水部の間において前記横枠の見込み面に圧接しており、前記水密材は、前記無目の長手方向に延びた圧縮可能な水密材本体と、前記水密材本体よりも硬い硬質体とによって形成されており、前記中間止水部は、前記水密材本体によって構成されており、前記一対の端止水部は、前記水密材本体の両端部と前記無目との間に前記硬質体が配置されて構成されていることを特徴とする。
【０００８】
本発明の第三態様の段窓は、上下の窓と、前記上下の窓を連結した無目とを備えており、前記上下の窓は、上下の横枠および左右の縦枠を有した枠体と、前記枠体に保持された面材とをそれぞれ備えており、前記左右の縦枠には、前記上下の横枠の端部に当接するシール材が設けられており、前記無目には、前記枠体との間を止水する圧縮可能な水密材が設けられており、前記水密材は、前記無目の両端側に配置された一対の端止水部と、前記無目の長手方向に延びて前記一対の端止水部の間に配置された中間止水部とを有しており、前記一対の端止水部は、前記左右の縦枠の上下方向における両端面のうち前記無目側に位置する端面および前記シール材と、前記上下の横枠のうち前記無目側に位置する横枠の見込み面における両端側とに圧接しており、前記中間止水部は、前記一対の端止水部の間において前記横枠の見込み面に圧接しており、前記水密材は、その全体が圧縮可能な同一材料によって形成されており、前記端止水部の上下方向における厚さ寸法は、前記中間止水部の上下方向における厚さ寸法よりも大きいことを特徴とする。
【発明の効果】
【０００９】
本発明の段窓によれば、一対の端止水部および中間止水部が縦枠の端面、シール材および横枠に圧接することで無目および枠体の間を止水できる。また、例えばシール材の切り残しなどがある場合に当該シール材が縦枠の端面から突出している場合でも、端止水部が中間止水部における接触圧よりも大きい接触圧で縦枠の端面、シール材および横枠の見込み面の両端側に圧接することで、シール材の突出部分まわりを端止水部によって埋めることができ、水密材および枠体の間にピンホールなどの隙間が形成されることを抑制できる。これにより、無目および枠体の間の止水性を向上できる。また、中間止水部における接触圧は端止水部における接触圧ほど大きくないので、水密材の全体が端止水部における接触圧をもって枠体に圧接する場合と比べて、水密材を押し潰しやすく構成されており、このため、枠体を無目に容易に組み付けることができる。
【図面の簡単な説明】
【００１０】
【図１】本発明の実施形態に係る段窓を示す説明図。
【図２】前記実施形態に係る段窓の要部を分解して示す斜視図。
【図３】前記実施形態に係る段窓の要部を示す側面図。
【図４】前記実施形態に係る段窓の要部を示す縦断面図。
【図５】前記実施形態に係る段窓の水密材を示す説明図。
【図６】本発明の第一変形例に係る水密材の要部を示す模式図。
【図７】本発明の第二変形例に係る水密材の要部を示す模式図。
【発明を実施するための形態】
【００１１】
［本実施形態の構成］
以下、本発明の実施形態を図面に基づいて説明する。
図１において、本実施形態に係る段窓１は、室内外を仕切るものであって、上窓２と、下窓３と、上窓２および下窓３を連結した無目５とを備えている。
以下の説明において、段窓１の左右方向をＸ軸方向とし、段窓１の上下方向をＹ軸方向とし、段窓１の室内外方向（見込み方向）をＺ軸方向とする。Ｘ，Ｙ，Ｚ軸方向は互いに直交する。
【００１２】
上窓２および下窓３は、上枠１１（横枠）、下枠１２（横枠）および左右の縦枠１３，１４によって縦勝ちに枠組みされた窓枠１０（枠体）と、窓枠１０内に配置された面材１５とを備えている。上窓２および下窓３は、本実施形態では面材１５が窓枠１０に保持された嵌め殺し窓として構成されている。上枠１１、下枠１２および左右の縦枠１３，１４はアルミ押出形材によって形成されており、面材１５は単層や複層のガラスパネルによって構成されている。
上枠１１は、Ｘ軸方向に沿った上枠本体部１１１と、上枠本体部１１１から見付け方向に延出した上枠ヒレ部１１２とを有しており、上枠本体部１１１には気密材および押縁が装着されて面材１５の上縁部を保持している。
下枠１２は、Ｘ軸方向に沿った下枠本体部１２１と、下枠本体部１２１から見付け方向に延出した下枠ヒレ部１２２とを有しており、下枠本体部１２１には、気密材および面材押え部材が装着されて面材１５の下縁部を保持している。
縦枠１３は、Ｙ軸方向に沿った縦枠本体部１３１と、縦枠本体部１３１から見付け方向に延出した縦枠ヒレ部１３２とを有しており、縦枠本体部１３１には、気密材および押縁（図示省略）が装着されて面材１５の側縁部を保持している。縦枠ヒレ部１３２の上下の端部１３３，１３４は、縦枠本体部１３１よりも上下に突出している。縦枠本体部１３１の上下の端部には、上枠１１および下枠１２の端部に当接するシート状のシール材１６，１７が設けられている。上側のシール材１６は、縦枠本体部１３１の内側面から縦枠ヒレ部１３２の上側の端部１３３の側縁に沿っており、下側のシール材１７は、縦枠本体部１３１の内側面から縦枠ヒレ部１３２の下側の端部１３４の側縁に沿っている。縦枠１４は、縦枠１３と同様に構成されて左右逆向きに配置されているので、縦枠１３の各構成と同符号を適宜付し、縦枠１４の詳細な説明を省略する。
ここで、上窓２においては、下枠ヒレ部１２２および各縦枠ヒレ部１３２の下側の端部１３４は折り取られており、シール材１７のうち端部１３４の側縁に沿った部分は切り取られており、上枠ヒレ部１１２の両端部は、シール材１６のうち各縦枠ヒレ部１３２の上側の端部１３３の側縁に沿った部分に当接している。
また、下窓３においては、上枠ヒレ部１１２および各縦枠ヒレ部１３２の上側の端部１３３は折り取られており、シール材１６のうち端部１３３の側縁に沿った部分は切り取られており、下枠ヒレ部１２２の両端部は、シール材１７のうち各縦枠ヒレ部１３２の下側の端部１３４の側縁に沿った部分に当接している。
【００１３】
無目５はアルミ押出形材によって形成されている。無目５は、図２〜図４に示すように、上面部５１、下面部５２および一対の縦面部５３，５４によって形成された中空枠部５５と、下面部５２および縦面部５３の連続部分から室外側に延出した延出見込み面部５６と、延出見込み面部５６の室外端部に連続した室外見付け面部５７と、上面部５１および縦面部５４の連続部分から延出した取付片部５８と、下面部５２および縦面部５４の連続部分から延出した取付片部５９とを有している。
上面部５１は、縦面部５３の上縁に連続した室外側上面５１１と、室外側上面５１１から上方に立ち上げられた立上り面５１２と、立上り面５１２の上縁および縦面部５４の上縁に連続した室内側上面５１３とを有している。上面部５１および縦面部５３の連続部分にはビスホール５０１が形成されており、ビスホール５０１には後述する端部キャップ８０がネジ止めされている。延出見込み面部５６および取付片部５９には、下窓３の上枠１１がネジ止めされている。室外見付け面部５７の上縁部には、上窓２の下枠１２の室外部分が係合した係合溝５７１が形成されており、取付片部５８は上窓２の下枠１２にネジ止めされている。
【００１４】
前述した無目５には、図５に示すように窓枠１０との間を止水する圧縮可能な水密材６（６Ａ，６Ｂ）が設けられている。水密材６Ａは無目５の室外側上面５１１に貼り付けられていると共に立上り面５１２に沿って配置されている（図４参照）。水密材６Ａは、本実施形態では、Ｘ軸方向に延びた圧縮可能な水密材本体６１と、Ｘ軸方向において水密材本体６１を間にして無目５の両端側に配置された水密材端体６２とによって形成されている。水密材本体６１は断面略矩形状であり、ＰＶＣ（ｐｏｌｙｖｉｎｙｌ  ｃｈｌｏｒｉｄｅ）スポンジを材料として形成されている。水密材端体６２はブロック状であり、水密材本体６１よりも高い反発弾性を有したブチルゴムを材料として形成されている。水密材本体６１のＹ軸方向における厚さ寸法は水密材端体６２のＹ軸方向における厚さ寸法と略同じ寸法である。
この水密材６Ａでは、上窓２における下枠本体部１２１の下側の見込み面１２３に圧接する中間止水部７Ａが水密材本体６１によって構成されており、上窓２における縦枠１３，１４の縦枠本体部１３１における下側の端面、シール材１７および下枠本体部１２１の下側の見込み面１２３のうち両端側の部分にそれぞれ圧接する一対の端止水部８Ａが水密材端体６２によって構成されている。このように構成された水密材６Ａが無目５と上窓２の窓枠１０との間に押し潰されながら設置された圧縮状態では、中間止水部７Ａおよび一対の端止水部８Ａの圧縮量は同じであるが、端止水部８Ａが中間止水部７Ａよりも高い反発弾性を有しているので、端止水部８Ａの窓枠１０に対する接触圧は中間止水部７Ａの窓枠１０に対する接触圧よりも大きくなっている。なお、中間止水部７Ａは下枠１２の下枠ヒレ部１２２を折り取ったヒレ折取り部１２２Ａにも圧接している。
水密材６Ｂは、水密材６Ａと同様に構成されているので、水密材６Ａの各構成と同符号を付す。水密材６Ｂは、Ｙ軸方向において水密材６Ａの下方に配置されて下面部５２に貼り付けられている。この水密材６Ｂでは、下窓３における上枠本体部１１１の上側の見込み面１１３に圧接する中間止水部７Ｂが水密材本体６１によって構成されており、下窓３における縦枠１３，１４の縦枠本体部１３１における上側の端面、シール材１６および上枠本体部１１１の上側の見込み面１１３のうち両端側の部分にそれぞれ圧接する端止水部８Ｂが水密材端体６２によって構成されている。このように構成された水密材６Ｂが無目５と下窓３の窓枠１０との間に押し潰されながら設置された圧縮状態では、中間止水部７Ｂおよび端止水部８Ｂの圧縮量は同じであるが、端止水部８Ｂが中間止水部７Ｂよりも高い反発弾性を有しているので、端止水部８Ｂの窓枠１０に対する接触圧は中間止水部７Ｂの窓枠１０に対する接触圧よりも大きくなっている。なお、中間止水部７Ｂは上枠１１の上枠ヒレ部１１２を折り取ったヒレ折取り部１１２Ａにも圧接している。
【００１５】
図３に示すように、上窓２の縦枠ヒレ部１３２と下窓３の縦枠ヒレ部１３２とは、Ｙ軸方向に間隔を隔てて配置されており、これら縦枠ヒレ部１３２の間にはヒレ部材７０が設置されている。ヒレ部材７０は、無目５の中空枠部５５によって形成された中空部５５Ａに挿入されて無目５に嵌合した装着部７１と、装着部７１からＸ軸方向に突出したヒレ部７２とを有しており、ヒレ部７２が上窓２の縦枠ヒレ部１３２と下窓３の縦枠ヒレ部１３２との間に配置されている。
無目５の両端部には、図２に示す端部キャップ８０が取り付けられている。端部キャップ８０は、Ｘ軸方向においてヒレ部材７０を押える端板材８１と、ヒレ部材７０のヒレ部７２と上下の縦枠ヒレ部１３２との間を止水する断面Ｌ字形状のシール端材８２と、端板材８１およびシール端材８２を無目５および窓枠１０に取り付ける板状のキャップ部材８３とによって構成されており、端板材８１は、ヒレ部材７０のヒレ部７２に挿通されたスポンジ状の止水部材８４を装着部７１との間で挟み込んでいる。また、無目５に対して室内側の位置には、樹脂製の無目カバー９が設置されている。
なお、説明の便宜上、図３では縦枠１３側のヒレ部材７０および端部キャップ８０の図示を省略しており、図５では縦枠１３側および縦枠１４側のヒレ部材７０および端部キャップ８０の図示を省略しており、図２および図４では面材１５の図示を省略している。
【００１６】
[変形例]
前記実施形態では、ＰＶＣスポンジを材料として形成された水密材本体６１と、水密材本体６１よりも高い反発弾性を有したブチルゴムを材料として形成された一対の水密材端体６２とによって水密材６（６Ａ，６Ｂ）が形成されているが、これに限らない。例えば図６（Ａ）に示す第一変形例のように、水密材６（６Ａ，６Ｂ）は、水密材本体６１の両端部に当該水密材本体６１よりも硬い硬質体６３Ａをそれぞれ配置し、水密材本体６１の端部および硬質体６３Ａによって端止水部８Ａ（８Ｂ）が構成され、且つ水密材本体６１の中間部のみによって中間止水部７Ａ（７Ｂ）が構成されてもよい。硬質体６３Ａは水密材本体６１の両端部と無目５との間に配置される。
このような構成とすることで、硬質体６３Ａが設けられている分、水密材本体６１の両端部はその中間部よりも大きく圧縮されることとなり、端止水部８Ａ（８Ｂ）における接触圧を中間止水部７Ａ（７Ｂ）における接触圧よりも大きくすることができる。
また、硬質体６３Ａは、水密材本体６１の中間部側から端部側に向かって斜め上に傾斜して断面略三角形状に形成されており、このように形成されているので、端止水部８Ａ（８Ｂ）における水密材本体６１の両端部の圧縮量は、当該水密材本体６１の中間部よりもＸ軸方向における端面側に向かうにつれて漸増している。
また、水密材６は、硬質体６３Ａに代えて、図６（Ｂ）に示す硬質体６３Ｂを備えていてもよい。硬質体６３Ｂは、水密材本体６１の中間部側から端部側に向かって斜め上に凹曲面状に立ち上げられた凹状立上り面６３１と、凹状立上り面６３１の上端に連続した見込み面６３２とを有している。この硬質体６３Ｂでは、水密材本体６１が圧縮されて凹状立上り面６３１に密着するので、水密材本体６１と硬質体６３Ｂとの間に隙間が生じることを抑制でき、更に、水平な見込み面６３２で水密材本体６１の端部を受けるので、この部分での水密材本体６１の圧縮量を均一にできる。
更に、水密材６は、硬質体６３Ａに代えて、図６（Ｃ）に示す硬質体６３Ｃを備えていてもよい。硬質体６３Ｃは、断面略矩形状に形成されており、その上面である見込み面６３２で水密材本体６１の端部を受けるので、この部分での水密材本体６１の圧縮量を均一にできる。
【００１７】
また、図７に示す第二変形例のように、水密材端体６２をなくし、端止水部８Ａ（８Ｂ）における上下の厚さ寸法を中間止水部７Ａ（７Ｂ）における上下の厚さ寸法よりも大きくしてもよい。図７（Ａ）では、水密材本体６１の端部における見込み面を、水密材本体６１の中間部側から端部側に向かって斜め上に傾斜させることで、端止水部８Ａ（８Ｂ）における厚さ寸法を大きくしている。図７（Ｂ）では、水密材本体６１の端部上方に圧縮可能な止水材料によって形成されるかさ増し材を積むことで、端止水部８Ａ（８Ｂ）における厚さ寸法を大きくしている。このように構成することで、水密材６（６Ａ，６Ｂ）が無目５および窓枠１０の間に設置されて図７（Ａ）および図７（Ｂ）に二点鎖線で示す圧縮ライン６５まで圧縮された状態では、端止水部８Ａ（８Ｂ）は中間止水部７Ａ（７Ｂ）よりも大きく圧縮されることとなり、端止水部８Ａ（８Ｂ）における接触圧を中間止水部７Ａ（７Ｂ）における接触圧よりも大きくすることができる。
【００１８】
［段窓の構成および効果］
（１）本実施形態の段窓は、上下の窓と、前記上下の窓を連結した無目とを備えており、前記上下の窓は、上下の横枠および左右の縦枠を有した枠体と、前記枠体に保持された面材とをそれぞれ備えており、前記左右の縦枠には、前記上下の横枠の端部に当接するシール材が設けられており、前記無目には、前記枠体との間を止水する圧縮可能な水密材が設けられており、前記水密材は、前記無目の両端側に配置された一対の端止水部と、前記無目の長手方向に延びて前記一対の端止水部の間に配置された中間止水部とを有しており、前記一対の端止水部は、前記左右の縦枠の上下方向における両端面のうち前記無目側に位置する端面および前記シール材と、前記上下の横枠のうち前記無目側に位置する横枠の見込み面における両端側とに圧接しており、前記中間止水部は、前記一対の端止水部の間において前記横枠の見込み面に圧接しており、前記一対の端止水部は、前記中間止水部よりも高い反発弾性を有した材料によって構成されていることを特徴とする。
本実施形態における段窓によれば、一対の端止水部および中間止水部が縦枠の端面、シール材および横枠に圧接することで無目および枠体の間を止水できる。また、例えばシール材の切り残しなどがある場合に当該シール材が縦枠の端面から突出している場合でも、端止水部が中間止水部における接触圧よりも大きい接触圧で縦枠の端面、シール材および横枠の見込み面の両端側に圧接することで、シール材の突出部分まわりを端止水部によって埋めることができ、水密材および枠体の間にピンホールなどの隙間が形成されることを抑制できる。これにより、無目および枠体の間の止水性を向上できる。また、中間止水部における接触圧は端止水部における接触圧ほど大きくないので、水密材の全体が端止水部における接触圧をもって枠体に圧接する場合と比べて、水密材を押し潰しやすく構成されており、このため、枠体を無目に容易に組み付けることができる。
更に、枠体の圧接による水密材の圧縮量が端止水部および中間止水部において同じであっても、端止水部における接触圧を中間止水部における接触圧よりも大きくすることができる。また、端止水部を高反発弾性材料によって構成することで、端止水部の中間止水部よりも上下に厚く形成する必要がなく、施工時に端止水部が枠体などに引っ掛かりにくい構成にでき、施工性を向上できる。
（２）第一変形例の段窓は、上下の窓と、前記上下の窓を連結した無目とを備えており、前記上下の窓は、上下の横枠および左右の縦枠を有した枠体と、前記枠体に保持された面材とをそれぞれ備えており、前記左右の縦枠には、前記上下の横枠の端部に当接するシール材が設けられており、前記無目には、前記枠体との間を止水する圧縮可能な水密材が設けられており、前記水密材は、前記無目の両端側に配置された一対の端止水部と、前記無目の長手方向に延びて前記一対の端止水部の間に配置された中間止水部とを有しており、前記一対の端止水部は、前記左右の縦枠の上下方向における両端面のうち前記無目側に位置する端面および前記シール材と、前記上下の横枠のうち前記無目側に位置する横枠の見込み面における両端側とに圧接しており、前記中間止水部は、前記一対の端止水部の間において前記横枠の見込み面に圧接しており、前記水密材は、前記無目の長手方向に延びた圧縮可能な水密材本体と、前記水密材本体よりも硬い硬質体とによって形成されており、前記中間止水部は、前記水密材本体によって構成されており、前記一対の端止水部は、前記水密材本体の両端部と前記無目との間に前記硬質体が配置されて構成されていることを特徴とする。
第一変形例の段窓によれば、一対の端止水部および中間止水部が縦枠の端面、シール材および横枠に圧接することで無目および枠体の間を止水できる。また、水密材本体の両端部と無目との間に硬質体があるので、水密材本体は、その両端部において中間部よりも大きく圧縮されることとなり、端止水部における接触圧を中間止水部における接触圧よりも大きくすることができる。このため、例えばシール材の切り残しなどがある場合に当該シール材が縦枠の端面から突出している場合でも、端止水部が中間止水部における接触圧よりも大きい接触圧で縦枠の端面、シール材および横枠の見込み面の両端側に圧接することで、シール材の突出部分まわりを端止水部によって埋めることができ、水密材および枠体の間にピンホールなどの隙間が形成されることを抑制できる。これにより、無目および枠体の間の止水性を向上できる。また、中間止水部における接触圧は端止水部における接触圧ほど大きくないので、水密材の全体が端止水部における接触圧をもって枠体に圧接する場合と比べて、水密材を押し潰しやすく構成されており、このため、枠体を無目に容易に組み付けることができる。
（３）第二変形例の段窓は、上下の窓と、前記上下の窓を連結した無目とを備えており、前記上下の窓は、上下の横枠および左右の縦枠を有した枠体と、前記枠体に保持された面材とをそれぞれ備えており、前記左右の縦枠には、前記上下の横枠の端部に当接するシール材が設けられており、前記無目には、前記枠体との間を止水する圧縮可能な水密材が設けられており、前記水密材は、前記無目の両端側に配置された一対の端止水部と、前記無目の長手方向に延びて前記一対の端止水部の間に配置された中間止水部とを有しており、前記一対の端止水部は、前記左右の縦枠の上下方向における両端面のうち前記無目側に位置する端面および前記シール材と、前記上下の横枠のうち前記無目側に位置する横枠の見込み面における両端側とに圧接しており、前記中間止水部は、前記一対の端止水部の間において前記横枠の見込み面に圧接しており、前記水密材は、その全体が圧縮可能な同一材料によって形成されており、前記端止水部の上下方向における厚さ寸法は、前記中間止水部の上下方向における厚さ寸法よりも大きいことを特徴とする。
第二変形例の段窓によれば、一対の端止水部および中間止水部が縦枠の端面、シール材および横枠に圧接することで無目および枠体の間を止水できる。また、端止水部は中間止水部よりも厚さ寸法が大きいので、水密材が無目および枠体の間に設置された状態では、端止水部は中間止水部よりも大きく圧縮されることとなり、端止水部における接触圧を中間止水部における接触圧よりも大きくすることができる。このため、例えばシール材の切り残しなどがある場合に当該シール材が縦枠の端面から突出している場合でも、端止水部が中間止水部における接触圧よりも大きい接触圧で縦枠の端面、シール材および横枠の見込み面の両端側に圧接することで、シール材の突出部分まわりを端止水部によって埋めることができ、水密材および枠体の間にピンホールなどの隙間が形成されることを抑制できる。これにより、無目および枠体の間の止水性を向上できる。また、中間止水部における接触圧は端止水部における接触圧ほど大きくないので、水密材の全体が端止水部における接触圧をもって枠体に圧接する場合と比べて、水密材を押し潰しやすく構成されており、このため、枠体を無目に容易に組み付けることができる。
【符号の説明】
【００１９】
１…段窓、１０…窓枠（枠体）、１１…上枠、１１３，１２３…見込み面、１２…下枠、１３，１４…縦枠、１３１…縦枠本体部、１３２…縦枠ヒレ部、１３３，１３４…端部、１５…面材、１６，１７…シール材、２…上窓（窓）、３…下窓（窓）、５…無目、６（６Ａ，６Ｂ）…水密材、６１…水密材本体、６２…水密材端体、６３Ａ〜６３Ｃ…硬質体、６５…圧縮ライン、７０…ヒレ部材、７Ａ，７Ｂ…中間止水部、８０…端部キャップ、８Ａ，８Ｂ…端止水部、９…無目カバー。
【図１】
2020007722.tif 000003
【図２】
2020007722.tif 000004
【図３】
2020007722.tif 000005
【図４】
2020007722.tif 000006
【図５】
2020007722.tif 000007
【図６】
2020007722.tif 000008
【図７】
2020007722.tif 000009